(57)【要約】【課題】フィルタ再生中に運転状態が無負荷又は低負荷の何れかになる場合にパティキュレートフィルタが過度に昇温することを抑制し、パティキュレートフィルタの破損や溶損を抑制可能なディーゼル機関の制御システムを提供する。【解決手段】フィルタ再生中に運転状態が無負荷又は低負荷の何れかであると判定された場合（Ｓ１０２）、ＥＣＵ２０は酸素濃度調節制御を実行する（Ｓ１０４）。酸素濃度調節制御においては、ＤＰＦ１０へ流入する排気ガスの酸素濃度Ｒｇｏが目標酸素濃度ＲｇｏｔとなるようにＥＧＲ弁１６の開度及び排気絞り弁の開度１１を調節する。【選択図】図２
2010270626.tif 000002
【特許請求の範囲】
【請求項１】
ディーゼル機関の排気通路に設けられて排気ガス中のパティキュレートを捕集するパティキュレートフィルタと、
前記ディーゼル機関の吸気通路と前記パティキュレートフィルタより下流の排気通路とを接続するＥＧＲ通路、及び該ＥＧＲ通路の流路断面積を変更するＥＧＲ弁を有するＥＧＲ装置と、
前記ＥＧＲ通路との接続部よりも下流の排気通路に設けられて該排気通路の流路断面積を変更する排気絞り弁と、
前記パティキュレートフィルタに捕集されているパティキュレートを燃焼させることによりフィルタ再生を行う再生手段と、
前記フィルタ再生中に運転状態が無負荷又は低負荷の何れかになる場合、前記パティキュレートフィルタへ流入する排気ガスの酸素濃度が４％以下となるように前記ＥＧＲ弁及び前記排気絞り弁を調節する調節手段と、
を備えることを特徴とするディーゼル機関の制御システム。
【発明の詳細な説明】
【技術分野】
【０００１】
本発明は、ディーゼル機関の制御システムに関する。
【背景技術】
【０００２】
ディーゼル機関の排気通路には、排出される排気ガスに含まれる粒子状物質（パティキュレート：ＰＭ）を捕集するパティキュレートフィルタが一般に設けられている。このパティキュレートフィルタは、時間の経過に伴い堆積したスート（煤）等のパティキュレートによって目詰まりを生じるため、このパティキュレートを定期的に燃焼させるフィルタ再生が行われる。
【０００３】
ここで、アイドリング時や低負荷時には、ディーゼル機関から排出される排気ガスの酸素濃度が高くなる。フィルタ再生に際してパティキュレートフィルタの温度が過度に上昇すると、パティキュレートフィルタに担持された触媒が劣化したり、フィルタ自身が破損又は溶損するといった問題が生じるため、フィルタ再生時においてはパティキュレートフィルタが過熱しすぎないように留意する必要がある。例えば、第１６回アーヘンコロキューム技術論文集には、アイドリング時と低負荷運転時での確実な再生を保証するには、フィルタ再生中にパティキュレートフィルタに流入する流入ガスの酸素濃度を３〜４容積％に制御する必要があることが開示されている。
【先行技術文献】
【特許文献】
【０００４】
【特許文献１】特開２００４−２６３５７８号公報
【特許文献２】特開２００８−２４０５５９号公報
【特許文献３】特開２００８−２０８７２３号公報
【発明の概要】
【発明が解決しようとする課題】
【０００５】
パティキュレートフィルタに堆積したパティキュレートを燃焼させる一般的な方法として、ポスト噴射による方法が挙げられる。しかしながら、運転状態が無負荷又は低負荷のときにこの方法でフィルタ再生を行うと要求よりも高い機関トルクが発生する場合がある。そして、過剰なトルクの発生を抑制するためにはポスト噴射量が制限されてしまい、その結果としてフィルタ再生時における流入ガスの酸素濃度を所望の濃度まで低減させることが難しいというのが実情である。
【０００６】
本発明は上記の実情に鑑みてなされたものであり、その目的は、フィルタ再生中に運転状態が無負荷又は低負荷の何れかになる場合にパティキュレートフィルタが過度に昇温することを抑制し、パティキュレートフィルタの破損や溶損を抑制可能なディーゼル機関の制御システムを提供することである。
【課題を解決するための手段】
【０００７】
上記した課題を解決するために、本発明に係るディーゼル機関の制御システムは、以下の手段を採用した。
すなわち、ディーゼル機関の排気通路に設けられて排気ガス中のパティキュレートを捕集するパティキュレートフィルタと、前記ディーゼル機関の吸気通路と前記パティキュレートフィルタより下流の排気通路とを接続するＥＧＲ通路、及び該ＥＧＲ通路の流路断面積を変更するＥＧＲ弁を有するＥＧＲ装置と、前記ＥＧＲ通路との接続部よりも下流の排気通路に設けられて該排気通路の流路断面積を変更する排気絞り弁と、前記パティキュレ
ートフィルタに捕集されているパティキュレートを燃焼させることによりフィルタ再生を行う再生手段と、前記フィルタ再生中に運転状態が無負荷又は低負荷の何れかになる場合、前記パティキュレートフィルタへ流入する排気ガスの酸素濃度が４％以下となるように前記ＥＧＲ弁及び前記排気絞り弁を調節する調節手段と、を備えることを特徴とする。
【０００８】
本発明によれば、フィルタ再生中にパティキュレートフィルタが過昇温し易くなる状況下、即ち運転状態が無負荷又は低負荷の何れかになる場合であっても、パティキュレートの過剰な燃焼反応を抑制することが可能となる。したがって、フィルタ再生時におけるパティキュレートフィルタの破損又は溶損、或いはこれに担持される触媒等の熱劣化を好適に抑制することができる。
【０００９】
また、これに伴って、より多くのパティキュレートが堆積した状態からフィルタ再生を開始できるため、フィルタ再生の実行頻度を少なくする（フィルタ再生の実行休止インターバルを拡大する）ことができる。
【発明の効果】
【００１０】
本発明によれば、フィルタ再生中に運転状態が無負荷又は低負荷の何れかになる場合にパティキュレートフィルタが過度に昇温することを抑制し、パティキュレートフィルタの破損や溶損を抑制可能なディーゼル機関の制御システムを提供することができる。
【図面の簡単な説明】
【００１１】
【図１】実施例に係るディーゼル機関の制御システムを適用するエンジンとその吸排気系の概略構成を示す図である。
【図２】実施例におけるＤＰＦのフィルタ再生制御ルーチンを示したフローチャートである。
【発明を実施するための形態】
【００１２】
以下に図面を参照して、この発明を実施するための形態を例示的に詳しく説明する。尚、本実施の形態に記載されている構成要素の寸法、材質、形状、その相対配置等は、特に特定的な記載がない限りは、発明の技術的範囲をそれらのみに限定する趣旨のものではない。
【００１３】
＜実施例＞
図１は、実施例に係るディーゼル機関の制御システムを適用するエンジン１とその吸排気系の概略構成を示す図である。図１に示すエンジン１は、４つの気筒２を有する水冷式の４サイクル・ディーゼルエンジンである。各気筒２には、その燃焼室へと燃料を直接噴射する燃料噴射弁９が設けられている。
【００１４】
エンジン１には、吸気通路３および排気通路４が接続されている。吸気通路３の途中には、排気ガスのエネルギを駆動源として作動するターボチャージャ５のコンプレッサハウジング５ａが設けられている。また、コンプレッサハウジング５ａより上流側の吸気通路３には、該吸気通路３の流路断面積を変更する吸気絞り弁６が設けられている。この吸気絞り弁６は、電動アクチュエータによりその開度が調節されることで、吸気通路３内を流れる吸気の流量を調節することができる。
【００１５】
吸気絞り弁６よりも上流の吸気通路３には、吸気通路３を流れる空気（新気）の流量に応じた信号を出力するエアフローメータ７が設けられている。コンプレッサハウジング５ａよりも下流の吸気通路３には、コンプレッサハウジング５ａにおいて圧縮されたガスを冷却するインタークーラ８が設けられている。
【００１６】
一方、排気通路４の途中には、ターボチャージャ５のタービンハウジング５ｂが設けられている。タービンハウジング５ｂよりも下流の排気通路４には、排気中のパティキュレート（ＰＭ）を捕集するパティキュレートフィルタ（以下、「ＤＰＦ（Diesel Particulate Filter）」という）１０が設けられている。このＤＰＦ１０は、排気ガスの入口側と
出口側で互い違いに目封じされたハニカム状の所謂ウォールフロー型のフィルタであって、スートを除去できる径を有する多数の気孔（ポア）を含む隔壁を有する多孔質体（本実施例では、コージェライトを採用）により構成されている。ＤＰＦ１０を構成する多孔質体にはＰｔ等の貴金属からなる酸化触媒が担持されており、スート（煤）や炭化水素（ＨＣ）を酸化させることができる。
【００１７】
ＤＰＦ１０には、該ＤＰＦ１０の上流側と下流側との圧力差（前後差圧）を検出する差圧センサ１２が取り付けられている。この差圧センサ１２により、ＤＰＦ１０内におけるパティキュレート（スート）の堆積量を推定することができる。また、ＤＰＦ１０よりも下流の排気通路４には、該排気通路４の流路断面積を変更する排気絞り弁１１が設けられている。この排気絞り弁１１は、電動アクチュエータによりその開度が調節されることで、排気通路４内を流れる排気ガスの流量を調節することができる。
【００１８】
また、タービンハウジング５ｂより下流であって且つＤＰＦ１０より上流の排気通路４には、排気ガスの酸素濃度に対応する電気信号を出力する酸素濃度センサ（ラムダセンサ）１３が設けられている。この酸素濃度センサ１３の出力値に基づいてＤＰＦ１０に流入する排気ガスの酸素濃度を検出、測定することができる。
【００１９】
更に、エンジン１には、ＤＰＦ１０の下流を流れる排気をＥＧＲガスとして取り出して吸気通路３へ還流させる低圧ＥＧＲ装置１４が備えられている。低圧ＥＧＲ装置１４は、ＥＧＲ通路１５、ＥＧＲ弁１６、及びＥＧＲクーラ１７によって構成される。ＥＧＲ通路１５は、排気通路４におけるＤＰＦ１０及び排気絞り弁１１の間の部分と、コンプレッサハウジング５ａよりも上流の吸気通路３とを接続している。このＥＧＲ通路１５を介して、ＤＰＦ１０から流出した排気ガスがＥＧＲガスとして低圧で吸気系に還流させられる。ＥＧＲ弁１６は、ＥＧＲ通路１５の通路断面積を変更することによりＥＧＲガスの還流量を調整することができる。ＥＧＲ弁１６は、電動アクチュエータによってその開度が調節される。また、ＥＧＲクーラ１７は、ＥＧＲ通路１５を流れるＥＧＲガスとエンジン１の冷却水とで熱交換をすることにより、ＥＧＲガスを冷却する。
【００２０】
以上述べたように構成されたエンジン１には、エンジン１を制御するための電子制御ユニットであるＥＣＵ２０が併設されている。このＥＣＵ２０は、エンジン１の運転条件や運転者の要求に応じてエンジン１の運転状態を制御するユニットである。ＥＣＵ２０には、前述の各種センサが電気配線を介して接続され、これらの出力信号がＥＣＵ２０へと入力される。更に、ＥＣＵ２０には、機関回転数を検出するクランクポジションセンサ１８、アクセル開度を検出するアクセルポジションセンサ１９の出力信号が入力されるようになっている。また、ＥＣＵ２０には、吸気絞り弁６、燃料噴射弁９、排気絞り弁１１、及びＥＧＲ弁１６が電気配線を介して接続され、該ＥＣＵ２０により各種機器が制御されるようになっている。
【００２１】
ＥＣＵ２０には、機関回転数、アクセル開度などに応じて、ＥＧＲ弁１５の開閉（開度）制御、吸気絞り弁６の開閉（開度）制御、排気絞り弁１１の開閉（開度）制御、燃料噴射弁９の燃料噴射制御、ＤＰＦ１０に堆積しているパティキュレートを燃焼させて除去するフィルタ再生に係る制御などを行うための各種プログラムが予め記憶されている。
【００２２】
次に、ＤＰＦ１０のフィルタ再生について説明する。図２は、本実施例におけるＤＰＦ１０のフィルタ再生制御ルーチンを示したフローチャートである。この制御ルーチンはエ
ンジン１の稼働時においては一定周期毎にＥＣＵ２０によって繰り返し実行される。本実施例においては本ルーチンを実行するＥＣＵ２０が本発明における調節手段に対応している。
【００２３】
本ルーチンが実行されると、ステップＳ１０１では、ＤＰＦ１０のフィルタ再生中であるか否かが判定される。ここで、ＤＰＦ１０のフィルタ再生は、フィルタ再生実行条件が成立することにより行われる。フィルタ再生実行条件としては、ＤＰＦ１０におけるパティキュレートの堆積量（以下、「ＰＭ堆積量」という）Ｍｐｍが規定堆積量Ｍｐｍｂ以上であるという条件を例示することができる。規定堆積量Ｍｐｍｂは、パティキュレートがＤＰＦ１０に堆積されることにより目詰まりを起こし、この目詰まりが排気抵抗の増加を生じさせ、エンジン１の出力低下を生じさせてしまう虞があると判断できる堆積量である。また、ＰＭ堆積量Ｍｐｍが規定堆積量Ｍｐｍｂ以上であるか否かについては、差圧センサ１２の出力値に基づいて判別することが出来る。
【００２４】
フィルタ再生実行条件が成立した場合、ＥＣＵ２０は、ＤＰＦ１０を昇温させて該ＤＰＦ１０に捕集されているパティキュレートを燃焼させるフィルタ再生を行う。本制御ルーチンでは、ＤＰＦ１０の温度の上昇は、燃料噴射弁９からのポスト噴射によって行われる。このポスト噴射は、エンジン１の圧縮上死点近傍で気筒２内に燃料を噴射する通常の主燃料噴射（主噴射）の後（例えば、膨張行程中又は排気行程中）に気筒２内に副次的に行われる噴射のことをいう。
【００２５】
このポスト噴射に係る燃料は主に未燃燃料としてＤＰＦ１０に流入し、ＤＰＦ１０に担持された酸化触媒との反応熱によりＤＰＦ１０温度が上昇する。その結果、ＤＰＦ１０に堆積しているパティキュレートが燃焼して除去されることとなる。本実施例においては上記フィルタ再生を実行するＥＣＵ２０が本発明における再生手段に対応している。尚、フィルタ再生においてＤＰＦ１０を昇温させる手法は他の方法を採用しても勿論構わない。例えば、吸気行程もしくは排気行程の上死点近傍で気筒内に燃料を噴射するビゴム噴射を行うことによってＤＰＦ１０を昇温させ、堆積しているパティキュレートを燃焼させても良い。
【００２６】
ステップＳ１０１において、ＤＰＦ１０のフィルタ再生中であると判定された場合にはステップＳ１０２に進み、そうでない場合には本ルーチンを一旦抜ける。前記したようにＤＰＦ１０の基材はコージェライト製であり、例えば同じ多孔質体であるＳｉＣ製に比してコスト上有利である。しかし、コージェライトはＳｉＣに比べて融解温度が低く、熱容量が小さい。そのため、本実施例のＤＰＦ１０のようにコージェライトにより構成されたフィルタは、フィルタ再生時に過度の昇温がなされないように充分に配慮する必要がある。
【００２７】
ＤＰＦ１０のフィルタ再生中に、エンジン１の運転状態が中高負荷運転から減速状態やアイドリング状態へと移行する場合、エンジン１から排出される排気ガスの酸素濃度が急激に上昇する。そうすると、ＤＰＦ１０に供給されたポスト噴射に係る未燃燃料や、ＤＰＦ１０に堆積しているスート等のパティキュレートが、該ＤＰＦ１０において急激に燃焼し始めてしまい、ＤＰＦ１０において発生する熱量が急激に増大する。
【００２８】
それに加えて、減速状態やアイドリング状態においてはエンジン１から排出される排気ガス、即ちＤＰＦ１０に流入する排気ガスの流量が少なくなるため、排気ガスがＤＰＦ１０において急激に増大した発生熱量を充分に持ち去ることができない。その結果、ＤＰＦ１０に多量の熱量が滞留してしまうことでＤＰＦ１０が過度に昇温してしまい、ＤＰＦ１０に担持されている酸化触媒の熱劣化、基材の破損、溶損等の発生が懸念される。
【００２９】
そこで、ステップＳ１０２では、アクセルポジションセンサ１９によって検出されるアクセル開度から機関負荷が取得される。そして、現在の運転状態が無負荷又は低負荷の何れかであるかどうかが判定される。本ステップにおいて、エンジン１の運転状態が無負荷又は低負荷の何れでもないと判定された場合（Ｎｏ）には、ステップＳ１０２に戻る。即ち、再び機関負荷が取得され、エンジン１の運転状態が無負荷又は低負荷の何れかであると判定されるまで本ステップの処理が繰り返される。
【００３０】
そして、本ステップにおいて、運転状態が無負荷又は低負荷の何れかであると判定された場合（Ｙｅｓ）、このままではＤＰＦ１０が過度に昇温してしまい破損などの不具合が生じる可能性が高くなると判断され、ステップＳ１０３に進む。
【００３１】
ここで、フィルタ再生中に運転状態が無負荷又は低負荷となる条件下、即ちＤＰＦ１０が過昇温し易くなる条件下においても、ＤＰＦ１０に流入する排気ガスの酸素濃度を４％以下に制御することによってＤＰＦの過昇温を回避できることがわかっている（例えば、第１６回アーヘンコロキューム技術論文集を参照）。そこで、本実施例においては、フィルタ再生中に運転状態が無負荷又は低負荷の何れかとなる期間においては、ＤＰＦ１０へ流入する排気ガスの酸素濃度（以下、「流入ガス酸素濃度」という）Ｒｇｏを４％以下に維持する制御（以下、「酸素濃度調節制御」という）を行うこととした。
【００３２】
また、無負荷運転時や低負荷運転時には、非常に酸素濃度の高い排気ガスがエンジン１から排出される（例えば、十数％）。フィルタ再生時におけるポスト噴射量を増量すればＤＰＦ１０に流入する排気ガスの酸素濃度を一層低下させることができるが、その一部は燃焼室内で燃焼してしまい、機関のトルクを発生させてしまう。そうすると、ドライバから要求される以上のトルクが発生してしまい、ドライバビリティが悪化することが予想される。
【００３３】
そこで、ステップＳ１０３では、ＥＣＵ２０は、燃料噴射弁９によるポスト噴射を停止する。そして、続くステップＳ１０４ではＥＣＵ２０は酸素濃度調節制御を実行する。本実施例における酸素濃度調節制御では、ＥＣＵ２０は、ＤＰＦ１０への流入ガス酸素濃度Ｒｇｏが４％以下となるように、低圧ＥＧＲ装置１４におけるＥＧＲ弁１５の開度及び排気絞り弁１１の開度を調節する。これにより、ドライバビリティの悪化を抑制しつつ、フィルタ再生時におけるＤＰＦ１０への流入ガス酸素濃度Ｒｇｏを好適に低下させることが可能となる。
【００３４】
ところで、フィルタ再生中においてＤＰＦ１０への流入ガス酸素濃度Ｒｇｏが過度に低くなりすぎても、ＤＰＦ１０に堆積しているパティキュレートの円滑な燃焼反応が阻害されてしまうと考えられる。故に、酸素濃度調節制御においては、ＤＰＦ１０への流入ガス酸素濃度Ｒｇｏを３％以上であって且つ４％以下に維持することが好ましい。
【００３５】
そこで、本ルーチンにおいては、酸素濃度調節制御を実行する際に、ＤＰＦ１０への流入ガス酸素濃度Ｒｇｏが目標酸素濃度ＲｇｏｔとなるようにＥＧＲ弁１６の開度及び排気絞り弁１１の開度を調節することとした。この目標酸素濃度Ｒｇｏｔは、フィルタ再生中にエンジン１の運転状態が無負荷又は低負荷となった場合であっても、ＤＰＦ１０に堆積しているパティキュレートの円滑な燃焼反応が阻害されることがなく、且つ過剰な燃焼反応を抑制可能な酸素濃度であり、上述したように３〜４％の範囲内（つまり、３％以上であって且つ４％以下の範囲内）で設定される。
【００３６】
目標酸素濃度Ｒｇｏｔの設定上限値である４％は、ＤＰＦ１０の過昇温が起こり易い無負荷又は低負荷運転時においてもフィルタ再生時にパティキュレートの過剰な燃焼反応を抑制可能な流入ガス酸素濃度Ｒｇｏの上限値としての臨界的意義を有する。また、目標酸
素濃度Ｒｇｏｔの設定下限値である３％は、パティキュレートの円滑な燃焼反応を維持可能な流入ガス酸素濃度Ｒｇｏの下限値としての臨界的意義を有する。
【００３７】
尚、本ルーチンにおいては、酸素濃度調節制御時における流入ガス酸素濃度Ｒｇｏの実際値と目標酸素濃度Ｒｇｏｔとのずれを考慮して、目標酸素濃度Ｒｇｏｔをその設定範囲内における中央値である３．５％に設定している。
【００３８】
ステップＳ１０４の具体的処理として、ＥＣＵ２０は、酸素濃度センサ１３の出力値に基づいて流入ガス酸素濃度Ｒｇｏを取得する。そして、流入ガス酸素濃度Ｒｇｏが目標酸素濃度ＲｇｏｔとなるようにＥＧＲ弁１６及び排気絞り弁１１の開度をフィードバック制御する。当然ながら、酸素濃度調節制御時には多量のＥＧＲガスを還流させる必要があるため、ＥＣＵ２０は同制御を実行しない時に比べて、ＥＧＲ弁１６の開度を増加させ、排気絞り弁１１の開度を減少させる。例えば、ＥＣＵ２０は、排気絞り弁１１をほぼ閉弁させた状態で、流入ガス酸素濃度Ｒｇｏが目標酸素濃度Ｒｇｏｔまで低下するようにＥＧＲ弁１６の開度を調節しても良い。また、酸素濃度調節制御時に多量のＥＧＲガスを確保し易くするために、吸気絞り弁６の開度を同制御が実行されない時に比べて減少させると良い。
【００３９】
そして、続くステップＳ１０５では酸素濃度調節制御の終了条件が成立しているか否かが判定される。酸素濃度調節制御の終了条件は、運転状態が無負荷及び低負荷の何れでもないとき（例えば、中高負荷運転時）に成立する。本ステップにおいて否定判定された場合（Ｎｏ）には、ステップＳ１０４に戻る。即ち、酸素濃度調節制御が継続され、流入ガス酸素濃度Ｒｇｏが目標酸素濃度Ｒｇｏｔに一致するようにＥＧＲ弁１５及び排気絞り弁１１の開度がフィードバック制御される。そして、本ステップにおいて肯定判定された場合（Ｙｅｓ）には、ＥＣＵ２０はステップＳ１０６に進む。そして、ステップＳ１０６において、ＥＣＵ２０は酸素濃度調節制御を終了する。例えば、本ステップでは、ＥＧＲ弁１５及び排気絞り弁１１の開度が酸素濃度調節制御の実行開始前のそれぞれの開度に戻される。また、本ステップでは、ポスト噴射を再開させることができる。そして、本ステップ運転状態の処理が終了すると本ルーチンを一旦抜ける。
【００４０】
以上のように、本実施例に係るディーゼル機関の制御システムによれば、ＤＰＦ１０に対するフィルタ再生の開始時に運転状態が無負荷又は低負荷であったり、これら以外の運転状態からフィルタ再生中に無負荷又は低負荷運転へと移行した場合に、ＤＰＦ１０の過昇温を確実に抑制しつつ円滑なフィルタ再生を保証することができる。したがって、ＤＰＦ１０の破損又は溶損、或いはこれに担持された酸化触媒の熱劣化等を確実に抑制することができる。
【００４１】
また、無負荷運転時や低負荷運転時におけるＤＰＦ１０の過昇温を確実に抑制できることにより、フィルタ再生の実行条件に係る規定堆積量Ｍｐｍｂをより大きな値に設定することができる。したがって、フィルタ再生の実行頻度を少なくする（フィルタ再生の実行休止インターバルを拡大する）ことができ、燃費を向上させることができる。
【００４２】
また、酸素濃度調節制御では、流入ガス酸素濃度Ｒｇｏを目標酸素濃度Ｒｇｏｔまで低下させるために多量のＥＧＲガスをエンジン１に再循環させる必要がある。このような状況においても、低圧ＥＧＲ装置１４によればＤＰＦ１０から流出した排気ガスがＥＧＲガスとして取り出されるため、ＤＰＦ１０に流入するガス量が充分に確保される。
【００４３】
例えば、ＤＰＦ１０よりも上流を流れる排気をＥＧＲガスとして還流させる高圧ＥＧＲ装置を用いた場合、ＤＰＦ１０に流入するガス量が減少して過昇温し易くなる。これに対して本構成によれば、フィルタ再生中にＤＰＦ１０に多量の熱量が滞留してしまうことが
ない。したがって、フィルタ再生中におけるＤＰＦ１０の過昇温を確実に抑制することができる。
【符号の説明】
【００４４】
１・・・エンジン
３・・・吸気管
４・・・排気管
５・・・ターボチャージャ
６・・・吸気絞り弁
９・・・燃料噴射弁
１０・・パティキュレートフィルタ（ＤＰＦ）
１１・・排気絞り弁
１３・・酸素濃度センサ
１４・・低圧ＥＧＲ装置
１５・・ＥＧＲ通路
１６・・ＥＧＲ弁
２０・・ＥＣＵ
【図１】
2010270626.tif 000003
【図２】
2010270626.tif 000004